(57)【要約】【課題】窓や戸の開放時に多少の風が通過しても原形を保ちつつ、特定方向の視線を遮り、風通しを確保することを可能とする。【解決手段】風の力で傾斜が変わるスラットを弦のように張った軸紐と、スリット付の枠で位置と傾斜を固定して、軽量かつ単純な部品ながら、ある程度の重量を全体として獲得したことで、多少の風量にも翻らず、特定方向の視線を遮りながら風通しを確保し、巻き上げではなく、カーテンのように横方向に開閉するブラインドを提供する。【選択図】図１
0003172939.tif 000002
【実用新案登録請求の範囲】
【請求項１】
紐で貫かれた複数のスラットを軽量素材の単純な形状の部品で組み立てられたスリット付の枠で位置や傾斜を固定することを特徴とするブラインド。
【考案の詳細な説明】
【技術分野】
【０００１】
本考案は、風通しを重視した固定スラットで視線の遮蔽方向を限定した簡易なブラインドに関するものである。
【背景技術】
【０００２】
視線を避けるための用具に、カーテン、ブラインド等がある。カーテンは広げて閉めれば視線を遮り、引いてまとめて開ければ開放部全体の視界を確保出来る。ブラインドは昇降コードを操作してスラットを下ろして、昇降コード又は操作スティックでスラットの傾斜を操作すれば視線を遮り、昇降コードを操作してスラットを引き上げれば開放部全体の視界を確保出来る。
【０００３】
しかし、窓を開けた状態でカーテンを閉めても風が吹いたら捲れてしまい、窓を開けた状態でブラインドを閉めても風が吹いたら個々のスラットが空気の力で隙間が閉じて、風が少し強いとブラインド全体が捲れる場合もあり、視界の操作にすぐれていても風通しの点では不便を感じる。
【０００４】
視線を遮り、通風を確保するために浴室の窓などに固定スラットの外ブラインドを設置する対策や、ブラインド雨戸なども存在するが、窓に固定式であったり、重量が大きかったり、採光不足であったりする。
【先行技術文献】
【特許文献】
【０００５】
【特許文献１】特開２００８−２８５８９０号公報
【考案の概要】
【考案が解決しようとする課題】
【０００６】
解決しようとする問題点は、開放した窓で視線を遮り、同時に風通しや採光を実現することである。
【課題を解決するための手段】
【０００７】
本考案は、縦枠を軽量素材のくし型で挟んだ枠にスラットをはめ込んでブラインドの体裁をなし、新規、又は既存のカーテンレールに掛けて使用することを主要な特徴とする。
【考案の効果】
【０００８】
本考案のブラインドは、カーテンレールに掛けることで視線を遮断し、縮めることは出来ないまでもカーテンのように開閉が出来るので開口部の出入りを容易にし、スラットの角度が固定のため安定した風通しを得るという利点がある。
【図面の簡単な説明】
【０００９】
【図１】図１は簡易ブラインド全体を示した側方斜視図である。（実施例１）
【図２】図２は簡易ブラインドの上面図である。（実施例１）
【図３】図３は簡易ブラインドの正面図である。（実施例１）
【図４】図４は簡易ブラインドの側面図である。（実施例１）
【図５】図５は簡易ブラインドの軸紐に沿って切断した図である。（実施例１）
【図６】図６は簡易ブラインドの主要部品の正面図である。（実施例１）
【図７】図７は簡易ブラインドの軸紐の経路図である。（実施例１）
【考案を実施するための形態】
【００１０】
巻き上げなどの機能を廃し、軽量素材のスラットと、スラットを貫く軸紐と、スラットの両端を支えるくし型と、くし型及び軸紐の張りを支える枠のみにてブラインド型遮蔽装置を形成した。
【実施例１】
【００１１】
図１は、本考案を説明するうえで必要な部品をすべて含め、ブラインドをイメージするために適当なスラットの数を配した作成例の側方斜視図であり、図２は同じ作成例の上面図、図３は同じ作成例の正面図、図４は同じ作成例の側面図であり、図５は縦枠を挟む一組のくし型の取り付け位置とスリットに対するスラットの横軸のはめ込み方法を示すための切断図、図６は主要な部品を平面に並べた場合の正面図、図７はスラットを支える一部品である軸紐の取り付け経路を説明するための枠と軸紐だけの図である。
【００１２】
枠は強度のある軽量素材で作成し、枠同士は分解収納を考慮して木ネジ、又はネジ等で固定する。スラットの素材は半透明又は不透明の薄型軽量プラスティック、木材、又は面取りした軽量金属等を用い、その形状は安全性、併用するカーテンとの関係を考慮して角を丸めた長方形とする。くし型は粒が細かく密度の濃い、多少強度のある板状の発泡スチロール板、プラスティック板、又は面取りした軽量金属板を使用して作成し、そのスリットはスラットの厚み以上の幅を必要とし、枠に対して木ネジ、ネジ、鋲、又は接着剤等で固定する。軸紐は耐水且つ、丈夫な素材の紐を使用し、横枠、中枠、スラットに開ける紐通し穴はこの紐の常態の直径と同じか、少し小さめ、且つ、最も収縮時の直径より大きめの直径にし、紐の端を押さえる各楔は横枠に開けた紐通し穴より少し小さめの直径の木ネジ、又はネジを用いる。目隠し板は主に枠、又はスラットで定義したものと同じ素材で作成する。ヒートンに至っては金属製の、設置先のカーテンレールのリングを通すのが可能なものを使用する。
【００１３】
一本の縦枠を挟む一組のくし型は、図５のように、お互いに上下にずらして枠に固定する事でスラットを傾けることが出来る。図６で示すｂの長さはスラットを傾けてくし型のスリットに差し込んだ時、スラットの端が僅かにａの長さの範囲外になるようにする。
【００１４】
各軸紐は、一方の端に結び目を作って、反対の端の先を絞った上で糊などで固めて穴を通し易くしてから横軸の穴の内側から入れて出し、もう一方の穴に外側から入れて出して、スラットを通してから中枠の穴を通す。このとき、紐を強力で引っ張って中枠を一周させればブラインド全体の半分の数のスラットの固定が出来る。更に残りのスラットの穴を通して、もう一本の横枠の穴の内側から入れて出して、別の穴の外側から入れて出して強力で引っ張って楔で留める。各紐の枠の穴の経路は図７の通りである。
【００１５】
枠の横の長さは、取り付ける窓、又は出入口の戸の横の長さ以下、枠の縦の長さは、カーテンレールの取り付け位置の高さ以下とする。スラットの枚数、中枠の要否及び各軸紐の長さは縦枠の長さに合わせて調整する。１枚のくし型のスリットの総数はスラットの枚数と同じにする。図６の１枚のくし型の縦の長さｃはスラットの枚数に比例する。１枚のくし型の縦の長さｃの途中に切断箇所が在ってもよく、極端なことを言えばｄの長さのくし型をスラットの枚数分作成して縦枠上で結合し１枚分のくし型を形成してもよく、この手法により１個のブラインド内で同時に別々の傾斜を持つスラットの配置も可能である。目隠し板の短辺の長さはスラット一枚一枚の短辺が覆う長さの合計と枠の内側の長さとの差によって調整する。
【００１６】
本考案は裏も表もない、ヒートンの位置を変えれば縦も横もない、利用者は遮りたい視線の方向に応じて自由な角度で窓又は戸に設置できる。風通し及び採光が目的のレースのカーテンのように、カーテンレールに取り付け、従来のカーテンと併用することを想定している。
【産業上の利用可能性】
【００１７】
窓又は戸のカーテンレールに取り付けて、出入りの自由を制限することを抑えつつ、特定方向の視線を遮り、風通しを確保出来る。
【符号の説明】
【００１８】
１    縦枠１
２    縦枠２
３    横枠１
４    横枠２
５    中枠
６    くし型１
７    くし型２
８    くし型３
９    くし型４
１０  スラット
１１  軸紐１
１２  軸紐２
１３  軸紐３
１４  ヒートン１
１５  ヒートン２
１６  楔１
１７  楔２
１８  楔３
１９  目隠し板１
２０  目隠し板２
２１  目隠し板３
２２  目隠し板４
２３  紐通し穴
２４  スリット
２５  紐結び目
【図１】
0003172939.tif 000003
【図２】
0003172939.tif 000004
【図３】
0003172939.tif 000005
【図４】
0003172939.tif 000006
【図５】
0003172939.tif 000007
【図６】
0003172939.tif 000008
【図７】
0003172939.tif 000009
【手続補正書】
【提出日】平成23年7月22日(2011.7.22)
【手続補正１】
【補正対象書類名】実用新案登録請求の範囲
【補正対象項目名】全文
【補正方法】変更
【補正の内容】
【実用新案登録請求の範囲】
【請求項１】
紐で貫かれた複数のスラットと、紐の両端を固定する横枠と、複数のスラットの一枚一枚の両端を固定するガイドを有する縦枠からなる枠付のブラインド。
【請求項２】
請求項１のスラットを固定するガイドを、縦枠に切れ込みを入れず、１個又は複数のスリットを有するくし型２枚で枠を挟んで固定し、スラットの端を４点で挟むガイドを形成することを特徴とするブラインド。
【請求項３】
請求項２の縦枠を挟む２枚のくし型の取り付け位置を上下にずらすことによりスラットの角度を調整することを特徴とするブラインド。
【手続補正書】
【提出日】平成23年9月19日(2011.9.19)
【手続補正１】
【補正対象書類名】実用新案登録請求の範囲
【補正対象項目名】全文
【補正方法】変更
【補正の内容】
【実用新案登録請求の範囲】
【請求項１】
紐で貫かれた複数のスラットと、紐の両端を固定する横枠と、複数のスラットの一枚一枚の両端を固定するスリットを有する縦枠からなる枠付のブラインド。
【請求項２】
１個又は複数のスリットからなる、縦枠を挟む２枚一組のくし型のスリットが、スラットの端を表裏４点で支えることを特徴とする請求項１に記載の枠付のブラインド。
【請求項３】
縦枠を挟む２枚一組の一方の取り付け位置を上下にずらした請求項２に記載のくし型が、スラットに傾斜を与えることを特徴とする請求項１に記載の枠付のブラインド。
【手続補正書】
【提出日】平成23年11月6日(2011.11.6)
【手続補正１】
【補正対象書類名】実用新案登録請求の範囲
【補正対象項目名】請求項３
【補正方法】変更
【補正の内容】
【請求項３】
縦枠を挟む２枚一組の一方の取り付け位置を上下にずらした前記くし型のスリットが、スラットに傾斜を与えることを特徴とする請求項２に記載の枠付のブラインド。